(57)【要約】【課題】複数台の室内機に故障が発生している場合の故障コードの確認漏れを防止することのできる空気調和機の遠隔操作装置を提供すること。【解決手段】プログラムされたマイコン４によって１対の通信線３に接続された複数台の空気調和機を遠隔操作する装置であって、接続された室内機２の故障コードを表示する故障コード表示手段６と、前記故障コード表示手段６の表示／非表示を切換える故障コード表示／非表示切換手段７と、前記故障コード表示手段６が表示対象としている室内機２の識別番号を表示する室内機識別番号表示手段８とを備え、故障発生時に前記故障コード表示／非表示切換手段７が操作された場合は前記室内機識別番号表示手段８の表示を自動的に切換えて前記故障コード表示手段６に故障発生中の室内機２の故障コードを順に表示させるようにした。【選択図】図３
2013160480.tif 000002
【特許請求の範囲】
【請求項１】
プログラムされたマイコンによって１対の通信線に接続された複数台の空気調和機を遠隔操作する装置であって、接続された室内機の故障コードを表示する故障コード表示手段と、前記故障コード表示手段の表示／非表示を切換える故障コード表示／非表示切換手段と、前記故障コード表示手段が表示対象としている室内機の識別番号を表示する室内機識別番号表示手段とを備え、故障発生時に前記故障コード表示／非表示切換手段が操作された場合は前記室内機識別番号表示手段の表示を自動的に切換えて前記故障コード表示手段に故障発生中の室内機の故障コードを順に表示させるようにしたことを特徴とする空気調和機の遠隔操作装置。
【請求項２】
故障コード表示手段に全ての故障発生中の室内機の故障コードを表示させるまでに、故障コード表示／非表示切換手段が再度操作されても前記故障コード表示手段の故障コード表示を非表示に戻さないようにしたことを特徴とする請求項１に記載の空気調和機の遠隔操作装置。
【発明の詳細な説明】
【技術分野】
【０００１】
本発明は、プログラムされたマイコンによって複数台の空気調和機を遠隔操作する装置に関するものである。
【背景技術】
【０００２】
従来、この種の複数台の空気調和機を遠隔操作する遠隔操作装置は、故障発生時に故障コード表示／非表示切換手段が操作されると故障コードを表示し、故障コード表示中に室内機識別番号選択手段が操作されると故障コード表示対象の室内機を切換え、故障コード表示／非表示切換手段が再度操作されると故障コードを非表示に戻していた（例えば、特許文献１参照）。
【０００３】
図５は特許文献１に記載された従来の空気調和機の遠隔操作装置のハードウェアブロック図、図６は特許文献１に記載された従来の空気調和機の遠隔操作装置のマイコンが実行するプログラムの故障コード表示フローチャートを示すものである。
【０００４】
図５において、ワイヤードリモコン１は、通信線３により複数台の室内機と接続されている。ワイヤードリモコン１内において、マイコン４はプログラム５を実行し、故障コード表示６で室内機に発生中の故障コードを表示する。点検スイッチ７は故障コード表示６の表示／非表示を切換える。室内機番号表示８は、故障コード表示６が表示対象としている室内機の室内機番号を示す。室内機番号ＵＰスイッチ９は、故障コード表示６が表示対象としている室内機の室内機番号を増加させ、室内機番号ＤＯＷＮスイッチ１０は、故障コード表示６が表示対象としている室内機の室内機番号を減少させる。送受信回路１１は、通信線３に接続され室内機と双方向に通信を行うためのものである。ワイヤードリモコン１は、室内機と双方向に通信を行い、接続されている室内機の室内機番号を認識して運転操作や故障コード表示を行うものである。
【０００５】
図６において、ステップ６０１で点検スイッチが押されたことを検出するまでは、ステップ６０２に進んで故障コード非表示を継続し、ステップ６０１で点検スイッチが押されたことを検出すれば、ステップ６０３に進んで故障コードを表示する。その後、ステップ６０４で点検スイッチが再度押されたことを検出するまでは、ステップ６０５以降のステップを経てステップ６０３に進んで故障コード表示を継続し、ステップ６０４で点検スイッチが再度押されたことを検出すれば、ステップ６０２に進んで故障コードを非表示に戻す。故障コード表示継続中は、ステップ６０５で室内機番号ＵＰスイッチが押されたことを検出して、ステップ６０６で現在の室内機番号が最大接続可能台数（例えば１６台）より小さい値であると判断できた場合に、ステップ６０７で室内機番号を１増加させ、ステップ６０８で室内機番号ＤＯＷＮスイッチが押されたことを検出して、ステップ６０９で現在の室内機番号が最小室内機番号（例えば１）より大きい値であると判断できた場合にステップ６１０で室内機番号を１減少させる。そして、室内機番号変更後にステップ６０３に進むと当該室内機番号の室内機の故障コードに表示が切換わる。
【先行技術文献】
【特許文献】
【０００６】
【特許文献１】特開平５−３０４６９４号公報
【発明の概要】
【発明が解決しようとする課題】
【０００７】
しかしながら、前記従来の構成では、複数台の室内機に故障が発生しているにも拘らず
、一部の室内機の故障コードを確認しただけで確認を終了し、故障コードの確認漏れを発生させることがあった。
【０００８】
本発明は、前記従来の課題を解決するもので、複数台の室内機に故障が発生している場合に故障コード確認漏れを発生させない、空気調和機の遠隔操作装置を提供することを目的とする。
【課題を解決するための手段】
【０００９】
前記従来の課題を解決するために、本発明の空気調和機の遠隔操作装置は、プログラムされたマイコンによって１対の通信線に接続された複数台の空気調和機を遠隔操作する装置であって、接続された室内機の故障コードを表示する故障コード表示手段と、前記故障コード表示手段の表示／非表示を切換える故障コード表示／非表示切換手段と、前記故障コード表示手段が表示対象としている室内機の識別番号を表示する室内機識別番号表示手段とを備え、故障発生時に前記故障コード表示／非表示切換手段が操作された場合は前記室内機識別番号表示手段の表示を自動的に切換えて前記故障コード表示手段に故障発生中の室内機の故障コードを順に表示させるようにしたものである。
【００１０】
これによって、故障コード確認開始後に追加の操作をすることなく、全ての故障発生中室内機の故障コードを確認することができるようになり、故障コード確認漏れの発生を防止することができる。
【発明の効果】
【００１１】
本発明の空気調和機の遠隔操作装置は、複数台の室内機に故障が発生している場合の故障コード確認漏れの発生を防止することができる。
【図面の簡単な説明】
【００１２】
【図１】本発明の実施の形態１および２における空気調和機の遠隔操作装置を含むシステム構成図
【図２】同実施の形態１および２における空気調和機の遠隔操作装置のハードウェアブロック図
【図３】同実施の形態１における空気調和機の遠隔操作装置のマイコンが実行するプログラムの故障コード表示フローチャート
【図４】同実施の形態２における空気調和機の遠隔操作装置のマイコンが実行するプログラムの故障コード表示フローチャート
【図５】従来の空気調和機の遠隔操作装置のハードウェアブロック図
【図６】同空気調和機の遠隔操作装置のマイコンが実行するプログラムの故障コード表示フローチャート
【発明を実施するための形態】
【００１３】
第１の発明は、プログラムされたマイコンによって１対の通信線に接続された複数台の空気調和機を遠隔操作する装置であって、接続された室内機の故障コードを表示する故障コード表示手段と、前記故障コード表示手段の表示／非表示を切換える故障コード表示／非表示切換手段と、前記故障コード表示手段が表示対象としている室内機の識別番号を表示する室内機識別番号表示手段とを備え、故障発生時に前記故障コード表示／非表示切換手段が操作された場合は前記室内機識別番号表示手段の表示を自動的に切換えて前記故障コード表示手段に故障発生中の室内機の故障コードを順に表示させるようにしたことにより、故障コード確認開始後に追加の操作をすることなく、全ての故障発生中の室内機の故障コードを確認することができるようになり、故障コード確認漏れの発生を確実に防止することができる。
【００１４】
第２の発明は、特に、第１の発明に加えて、故障コード表示手段に全ての故障発生中の室内機の故障コードを表示させるまでに、故障コード表示／非表示切換手段が再度操作されても前記故障コード表示手段の故障コード表示を非表示に戻さないようにしたことにより、複数台の室内機に故障が発生している場合に、一部の室内機の故障コードを確認しただけで確認を終了することがないので、故障コードの確認漏れの発生を確実に防止することができる。
【００１５】
以下、本発明の実施の形態について、図面を参照しながら説明する。なお、本実施の形態によって本発明が限定されるものではない。
【００１６】
（実施の形態１）
図１は、本発明の実施の形態１および２における空気調和機の遠隔操作装置を含むシステム構成図、図２は、同実施の形態１および２における空気調和機の遠隔操作装置のハードウェアブロック図、図３は、同実施の形態１における空気調和機の遠隔操作装置のマイコンが実行するプログラムの故障コード表示フローチャートである。
【００１７】
図１において、ワイヤードリモコン１は、室内機２Ａ、２Ｂ、２Ｃ、２Ｄと、通信線３を介して双方向に通信を行い、運転操作や故障コード表示を行う。
【００１８】
図２において、ワイヤードリモコン１は、通信線３により複数台の室内機２Ａ、２Ｂ、２Ｃ、２Ｄと接続されている。ワイヤードリモコン１内において、マイコン４はプログラム５を実行し、故障コード表示６で室内機２Ａ、２Ｂ、２Ｃ、２Ｄに発生中の故障コードを表示する。点検スイッチ７は故障コード表示６の表示／非表示を切換える。室内機番号表示８は、故障コード表示６が表示対象としている室内機２Ａ、２Ｂ、２Ｃ、２Ｄの室内機番号を示す。室内機番号ＵＰスイッチ９は、故障コード表示６が表示対象としている室内機の室内機番号を増加させ、室内機番号ＤＯＷＮスイッチ１０は、故障コード表示６が表示対象としている室内機の室内機番号を減少させる。送受信回路１１は、通信線３に接続され室内機２Ａ、２Ｂ、２Ｃ、２Ｄと双方向に通信を行うためのものである。ワイヤードリモコン１は、室内機２Ａ、２Ｂ、２Ｃ、２Ｄと双方向に通信を行い、接続されている室内機２Ａ、２Ｂ、２Ｃ、２Ｄの室内機番号を認識する。
【００１９】
以下、図３のフローチャートに従い、図２に示すプログラム５の動作を説明する。なお、従来と同一のステップについては、同一符号を付してその詳細な説明は省略する。
【００２０】
マイコン４は、ステップ３０１で室内機番号を切換えて故障コードを表示してから所定の時間（例えば２秒）が経過したかを判定し、経過していなければ室内機番号を変更せずにステップ６０３に進み、経過していればステップ３０２で現在の室内機番号を作業用室内機番号に代入する。次に、ステップ３０３で作業用室内機番号が最大接続可能台数（例えば１６台）より小さい値であるかを判定し、小さい値であればステップ３０４で作業用室内機番号を１増加させてステップ３０６に進み、最大接続可能台数（例えば１６台）と同じ値であればステップ３０５で作業用室内機番号を最小室内機番号（例えば１）に変更してステップ３０６に進む。そして、ステップ３０６で作業用室内機番号に該当する室内機番号の室内機が故障発生中であるかどうかを判定し、故障発生中でない場合はステップ３０３に戻ってステップ３０３からステップ３０６までを繰り返す。ステップ３０６で作業用室内機番号に該当する室内機番号の室内機が故障発生中である場合は、ステップ３０７に進み、作業用室内機番号を室内機番号に代入することで室内機番号を更新し、ステップ６０３で新しい室内機番号の室内機の故障コードを表示する。
【００２１】
以上のように、本実施の形態においては、ステップ３０１で故障コードを表示してから所定時間が経過したと判断する毎に、ステップ３０２からステップ３０７で室内機番号を
故障発生中の次の室内機番号に更新するので、故障コード確認開始後に追加の操作をすることなく全ての故障発生中の室内機の故障コードを確認することができるようになり、故障コード確認漏れの発生を確実に防止することができる。
【００２２】
なお、室内機番号を切換えて故障コードを表示してからの時間、室内機の最大接続可能台数と最小室内機番号は一例であり、本発明を限定するものではない。
【００２３】
（実施の形態２）
図４は、本発明の実施の形態２における空気調和機の遠隔操作装置のマイコンが実行するプログラムの故障コード表示フローチャートである。
【００２４】
以下、図４のフローチャートに従い図２に示すプログラム５の動作を説明する。なお、実施の形態１と同一のステップについては、同一符号を付してその詳細な説明は省略する。
【００２５】
マイコン４は、ステップ６０４で点検スイッチが再度押されたことを検出する前に、ステップ４０１で全ての故障発生中の室内機の故障コードを表示させたかを判断し、故障コードを表示させていない室内機が残っている場合は、ステップ６０４をスキップしてステップ３０１に進む。
【００２６】
以上のように、本実施の形態においては、ステップ４０１で全ての故障発生中の室内機の故障コードを表示させたかを判断し、故障コードを表示させていない室内機が残っていない場合にのみステップ６０４で点検スイッチが再度押されたことを検出するので、複数台の室内機に故障が発生している場合に一部の室内機の故障コードを確認しただけで確認を終了することができなくなり、故障コードの確認漏れの発生を確実に防止することができる。
【産業上の利用可能性】
【００２７】
以上のように、本発明にかかる空気調和機の遠隔操作装置は、複数台の室内機に故障が発生している場合の故障コード確認漏れの発生を防止することが可能となるので、通信線を媒体としてデータ通信を行う空気調和機集中制御システムにおいて空気調和機の集中制御装置の故障コード表示等の用途にも適用できる。
【符号の説明】
【００２８】
１  ワイヤードリモコン
２Ａ、２Ｂ、２Ｃ、２Ｄ  室内機
３  通信線
４  マイコン
５  プログラム
６  故障コード表示
７  点検スイッチ
８  室内機番号表示
１１  送受信回路
【図１】
2013160480.tif 000003
【図２】
2013160480.tif 000004
【図３】
2013160480.tif 000005
【図４】
2013160480.tif 000006
【図５】
2013160480.tif 000007
【図６】
2013160480.tif 000008